(57)【要約】      （修正有）【課題】帽子の着用時に帽子が風で飛ばされにくく帽子が着用者の頭から外れにくい構造の帽子を提供する。【解決手段】帽子の着用時に帽子が風で飛ばされにくくする構造を備える帽子であって、クラウン部及びツバ部を有する帽子本体１１と、クラウン部１２の周縁部に装着されるクリップ体２１とを備える。該クリップ体は、帽子の着用時にクラウン部の周縁部をクラウン部の内側方向へ向けて締め付けるバネ性を発揮するものとされる。また該クリップ体は、クラウン部の正面方向に配置される円弧状の正面部２２の両端にクラウン部の側面方向に配置される側面部２３を一体成形した形状のバネ体として形成される。また該クリップ体を収容する袋状の収容部１４がクラウン部の周縁部の外面側に設けられる。【選択図】図１
0003182453.tif 000002
【実用新案登録請求の範囲】
【請求項１】
帽子の着用時に前記帽子が風で飛ばされにくくする構造を備える帽子であって、
クラウン部及びツバ部を有する帽子本体と、前記クラウン部の周縁部に装着されるクリップ体とを備え、
前記クリップ体は、前記帽子の着用時に前記クラウン部の周縁部を前記クラウン部の内側方向へ向けて締め付けるバネ性を発揮するものであることを特徴とする帽子。
【請求項２】
請求項１記載の帽子において、
前記クリップ体は、前記クラウン部の正面方向に配置される円弧状の正面部の両端にそれぞれ前記クラウン部の側面方向に配置される側面部を一体成形した形状のバネ体として形成されていることを特徴とする帽子。
【請求項３】
請求項２記載の帽子において、
前記クリップ体は、複数の部品が前記クリップ体の長手方向にスライド可能に組み合わされることによりサイズの大小を調節可能とされていることを特徴とする帽子。
【請求項４】
請求項１乃至３の何れかに記載の帽子において、
前記クリップ体を収容する袋状の収容部が前記クラウン部の周縁部の外面側に設けられていることを特徴とする帽子。
【請求項５】
請求項４記載の帽子において、
前記袋状の収容部に対し前記クリップ体が出し入れ可能に収容されていることを特徴とする帽子。
【請求項６】
請求項４又は５記載の帽子において、
前記袋状の収容部は、その下縁部が前記帽子本体に縫着されるとともにその上縁部は前記帽子本体に縫着されずに前記クラウン部との間を開くことが可能とされ、前記クリップ体を挿入するための挿入口が前記袋状の収容部の内面側に設けられていることを特徴とする帽子。
【請求項７】
請求項４乃至６の何れかの帽子において、
前記袋状の収容部の長手方向両端部にそれぞれ布片が取り付けられ、前記布片同士の結び具合を変更することにより前記クラウン部の頭部に対する締め付け度合を調節可能とされていることを特徴とする帽子。
【考案の詳細な説明】
【技術分野】
【０００１】
本考案は、装身具の一種である帽子に係り、更に詳しくは、帽子の着用時に帽子が風で飛ばされにくくする構造を備える帽子に関する。
【背景技術】
【０００２】
従来、帽子の着用時に帽子が風で飛ばされにくくする構造として図６に示すように、紐状の連結具５１を用いて帽子５２を着衣５３に連結することが行なわれている。
【０００３】
しかしながらこの構造では、帽子５２が遠くへ飛ばされることは防止できても帽子５２が着用者の頭から外れてしまうことを防止することはできず、よって対策として不十分であると云わざるを得ない面がある。
【先行技術文献】
【特許文献】
【０００４】
【特許文献１】特開平９−１８８９１４号公報
【考案の概要】
【考案が解決しようとする課題】
【０００５】
本考案は以上の点に鑑みて、帽子の着用時に帽子が風で飛ばされにくく帽子が着用者の頭から外れにくい構造の帽子を提供することを目的とする。
【課題を解決するための手段】
【０００６】
上記目的を達成するため、本考案の請求項１による帽子は、帽子の着用時に前記帽子が風で飛ばされにくくする構造を備える帽子であって、クラウン部及びツバ部を有する帽子本体と、前記クラウン部の周縁部に装着されるクリップ体とを備え、前記クリップ体は、前記帽子の着用時に前記クラウン部の周縁部を前記クラウン部の内側方向へ向けて締め付けるバネ性を発揮するものであることを特徴とする。
【０００７】
また、本考案の請求項２による帽子は、上記した請求項１記載の帽子において、前記クリップ体は、前記クラウン部の正面方向に配置される円弧状の正面部の両端にそれぞれ前記クラウン部の側面方向に配置される側面部を一体成形した形状のバネ体として形成されていることを特徴とする。
【０００８】
また、本考案の請求項３による帽子は、上記した請求項２記載の帽子において、前記クリップ体は、複数の部品が前記クリップ体の長手方向にスライド可能に組み合わされることによりサイズの大小を調節可能とされていることを特徴とする。
【０００９】
また、本考案の請求項４による帽子は、上記した請求項１乃至３の何れかに記載の帽子において、前記クリップ体を収容する袋状の収容部が前記クラウン部の周縁部の外面側に設けられていることを特徴とする。
【００１０】
また、本考案の請求項５による帽子は、上記した請求項４記載の帽子において、前記袋状の収容部に対し前記クリップ体が出し入れ可能に収容されていることを特徴とする。
【００１１】
また、本考案の請求項６による帽子は、上記した請求項４又は５記載の帽子において、前記袋状の収容部は、その下縁部が前記帽子本体に縫着されるとともにその上縁部は前記帽子本体に縫着されずに前記クラウン部との間を開くことが可能とされ、前記クリップ体を挿入するための挿入口が前記袋状の収容部の内面側に設けられていることを特徴とする。
【００１２】
更にまた、本考案の請求項７による帽子は、上記した請求項４乃至６の何れかの帽子において、前記袋状の収容部の長手方向両端部にそれぞれ布片が取り付けられ、前記布片同士の結び具合を変更することにより前記クラウン部の頭部に対する締め付け度合を調節可能とされていることを特徴とする。
【００１３】
上記構成を備える本考案の帽子においては、クラウン部及びツバ部を有する帽子本体とともにクラウン部の周縁部に装着されるクリップ体が備えられ、このクリップ体がそのバネ性によってクラウン部の周縁部をクラウン部の内側方向へ向けて締め付ける。したがって帽子の着用時、このクリップ体によってクラウン部の周縁部が着用者の頭部へ向けて締め付けられるため、クラウン部が頭部に強く固定され、よって風が吹きつけても或いは自転車搭乗時に向かい風を受けても帽子が飛ばされるのを抑制することが可能とされる。帽子としてはクリップ体による締め付けの影響を受けやすく変形しやすいソフトな帽子が適している。
【００１４】
クリップ体としては、上記バネ性を発揮するようにクラウン部の正面方向に配置される円弧状の正面部の両端にそれぞれクラウン部の側面方向に配置される側面部を一体成形した形状のバネ体として形成するのが好適あり、これによりクリップ体は着用者の頭部に嵌められる馬蹄形乃至略馬蹄形を呈するバネ体として形成される。クリップ体は合成樹脂などで作成される。
【００１５】
また、クリップ体としては、複数の部品（クリップ体構成部品）がクリップ体の長手方向にスライド可能に組み合わされることによりサイズの大小を調節可能とするのが好適であり、これによりクリップ体のサイズを着用者の頭部の大きさに合わせたうえで使用することが可能とされる。
【００１６】
また、クリップ体としては、帽子に装着された状態で帽子外部から見えても良いが、見えないように隠されても良く、後者の場合には、袋状の収容部を設けてこの袋状の収容部にクリップ体を収容することが考えられる。袋状の収容部はクラウン部の周縁部の内面側に設けられ、又は外面側に設けられるが、後者の場合には、袋状の収容部が帽子外部から見えるので、袋状の収容部が帽子の装飾体を兼ねることが可能とされる。袋状の収容部は布などで作成される。
【００１７】
また、クリップ体としては、袋状の収容部に対し出し入れ可能に収容することが考えられ、この場合、着用者は、袋状の収容部にクリップ体を収容した状態（クリップ体による締め付け有りの状態）で帽子を着用することと、袋状の収容部にクリップ体を収容しない状態（クリップ体による締め付け無しの状態）で帽子を着用することを選択することが可能とされる。
【００１８】
袋状の収容部を設ける場合、この袋状の収容部にはクリップ体を挿入するための挿入口が設けられるが、袋状の収容部がクラウン部の周縁部の外面側に設けられる場合には、袋状の収容部は見えても挿入口は見えないほうが帽子としての見栄えが良いので、挿入口を袋状の収容部の内面側に設けることが考えられる。この場合、袋状の収容部をその下縁部のみにて帽子本体に縫着するようにすると、袋状の収容部の上縁部及びクラウン部間を開くことが可能とされ、開いたときに挿入口が見えるので、挿入口を見ながら挿入口にクリップ体を挿入する作業を行なうことができる。したがってクラウン部の周縁部の外面側に袋状の収容部が設けられるとともに袋状の収容部の内面側に挿入口が設けられると云う条件乃至状況のもとで、挿入口にクリップ体を挿入する作業を容易に行なうことが可能とされる。
【００１９】
また、この袋状の収容部については、その長手方向両端部にそれぞれ布片を取り付け、布片同士の結び具合を変更することによりクラウン部の頭部に対する締め付け度合を調節可能とすることが考えられる。したがって特に風が強いときに布片同士をきつく結んでクラウン部の頭部に対する締め付け度合を大きくすると云った調節を行なうことができ、これにより帽子が風で飛ばされにくくなると云う効果を一層拡大することが可能とされる。
【考案の効果】
【００２０】
本考案は、以下の効果を奏する。
【００２１】
すなわち本考案においては以上説明したように、クラウン部の周縁部にバネ性を発揮するクリップ体を装着することにより、帽子の着用時に帽子が風で飛ばされにくく帽子が着用者の頭から外れにくい構造の帽子を提供することができる。また、クリップ体を複数の部品の組み合わせとし、複数の部品をクリップ体の長手方向にスライド可能としてサイズの大小を調節可能とすることにより、クリップ体のサイズを着用者の頭部の大きさに合わせたうえで帽子を着用することができる。クリップ体を収容する袋状の収容部をクラウン部の周縁部の外面側に設ける場合には袋状の収容部によって帽子の装飾効果を高めることができ、袋状の収容部に対しクリップ体を出し入れ可能に収容する場合にはクリップ体の装着の有無について着用の態様を選択することができる。袋状の収容部の下縁部のみを帽子本体に縫着するとともにクリップ体を挿入するための挿入口を袋状の収容部の内面側に設ける場合には、挿入口が帽子外部から見えないので帽子の見栄えを良くすることができ、かつ挿入口にクリップ体を挿入する作業を容易に行なうことができる。また、袋状の収容部の長手方向両端部にそれぞれ取り付けた布片同士の結び具合を変更することによりクラウン部の頭部に対する締め付け度合を調節可能とする場合には、布片同士をきつく結んでクラウン部の頭部に対する締め付け度合を大きくすることにより帽子が風で飛ばされにくくなる効果を拡大することができる。
【図面の簡単な説明】
【００２２】
【図１】本考案の実施例に係る帽子の側面図
【図２】同帽子の平面図
【図３】袋状の収容部を一部折り返した状態を示す同帽子の側面図
【図４】同帽子に備えられるクリップ体の斜視図
【図５】同帽子に備えられるクリップ体の他の例を示す斜視図
【図６】従来例に係る帽子飛脱防止具の説明図
【考案を実施するための形態】
【００２３】
本考案には、以下の実施形態が含まれる。
（Ａ）帽子体のクラウンとツバの接合付近にクリップを内蔵する。またクリップを内蔵する部分は袋状に縫製されており、クリップが着脱可能となる。
（Ｂ）クラウンとツバを有する帽子に関して、クラウンとツバの接合部分（表部分）を袋状に縫製し、クリップが内蔵でき、しかもそのクリップが着脱可能である帽子。
（Ｃ）本考案によれば、帽子を被ったときのフィット感又は固定感が増し、帽子自体が風等によって飛ばされにくくなる。
（Ｄ）日差しが強い日などに出かける際、自転車に乗ったときや風の強いときに構造的に飛びづらく日除けとして継続して被り続けることができる。またクリップを外すことができるので、通常のフィット感に戻して着用することもでき、被り心地の使い分けもできる。
【００２４】
つぎに本考案の実施例を図面にしたがって説明する。
【００２５】
図１乃至図３は、本考案の実施例に係る帽子を示している。当該実施例に係る帽子はその着用時にこの帽子が風で飛ばされにくくする構造を備え、このためクラウン部１２及びツバ部１３を有する帽子本体１１とともにクラウン部１２の周縁部に装着されるクリップ体２１が備えられ、このクリップ体２１が帽子の着用時にクラウン部１２の周縁部をクラウン部１２の内側方向（周縁部の内径方向）へ向けて締め付けるバネ性を発揮するものとされている。
【００２６】
帽子本体１１は、着用者の頭部に被せられるクラウン部１２を備え、このクラウン部１２の周縁部にツバ部１３が設けられている。ツバ部１３はクラウン部１２の周縁部の全周に亙って設けられているが、円周上一部のみに設けられても良く、またクラウン部１２の後面方向（後頭部）に位置して、丈長の日除け布片（図示せず）が別途設けられたものであっても良い。
【００２７】
帽子本体１１は、クラウン部１２及びツバ部１３ともに柔らかな布地によって縫製されている。したがって当該帽子はクリップ体２１による締め付けの影響を受けやすく変形しやすい折り畳み可能な、ソフトな帽子とされている。
【００２８】
図４に示すように、クリップ体（クリップ）２１は、クラウン部１２の正面方向（前頭部）に配置される円弧状の正面部２２を備え、この正面部２２の両端にそれぞれクラウン部１２の側面方向（側頭部）に配置される同じく円弧状の側面部２３が一体成形された形状のバネ体として形成され、全体として着用者の頭部外周に嵌められる馬蹄形乃至略馬蹄形を呈するバネ体（板バネ体）として形成されている。クリップ体２１は合成樹脂などで一体に成形されている。
【００２９】
また図１及び図２に示すように、クリップ体２１を収容するための袋状の収容部１４がクラウン部１２の周縁部の外面側に設けられ、この袋状の収容部１４に対しクリップ体２１が出し入れ可能に収容されている。
【００３０】
袋状の収容部１４は、上記したようにクリップ体２１が馬蹄形乃至略馬蹄形であるのに対応して、これを丁度収容し得るように若干大きめの同じく馬蹄形乃至略馬蹄形に縫製されている。また袋状の収容部１４はその下縁部１４ａが長手方向全長に亙って帽子本体１１に縫着される一方で、その上縁部１４ｂは長手方向全長に亙って帽子本体１１に縫着されておらず、よってクリップ体２１が収容されていない状態で上縁部１４ｂを手指で掴んで引っ張ることにより上縁部１４ｂ及びクラウン部１２間を開くことが可能とされている。図３は、袋状の収容部１４の長手方向一方の端部１４ｃにおいて、上縁部１４ｂを手指で掴んで引っ張ることによりクラウン部１２との間を開き、さらに引っ張って袋状の収容部１４を反転させた状態を示し、袋状の収容部１４は長手方向の何処であってもこのように反転させることが可能とされている。
【００３１】
またこの図３に示すように、袋状の収容部１４に対してクリップ体２１を出し入れ可能に挿入するための挿入口１５が袋状の収容部１４の内面１４ｄ側であって長手方向一方の端部１４ｃに設けられている。
【００３２】
また、袋状の収容部１４の長手方向両端部にそれぞれ布片１６，１７が取り付けられ、この一対の布片１６，１７は互いに結び付けることが可能とされている。したがってこの布片１６，１７同士の結び具合を変更することによりクラウン部１２の周縁部の頭部に対する締め付け度合を調節することが可能とされている。
【００３３】
上記構成を備える帽子によれば、クラウン部１２の周縁部にバネ性を発揮するクリップ体２１が装着されるため、帽子の着用時に帽子が風で飛ばされにくく帽子が着用者の頭から外れにくい構造の帽子を提供することができる。
【００３４】
また、クリップ体２１を収容する袋状の収容部１４がクラウン部１２の周縁部の外面側に設けられているため、この袋状の収容部１４によって帽子の装飾効果を高めることができる。
【００３５】
また、袋状の収容部１４に対しクリップ体２１が出し入れ可能に収容されているため、風の強いときにはクリップ体２１を装着する、風の弱いときにはクリップ体２１を装着しないと云うように着用の態様を選択することができる。
【００３６】
また、袋状の収容部１４の下縁部１４ａのみが帽子本体１１に縫着されるとともにクリップ体２１を挿入するための挿入口１５が袋状の収容部１４の内面１４ｄ側に設けられているため、挿入口１５が帽子外部から見えずに帽子の見栄えを良くすることができ、加えて挿入口１５にクリップ体２１を挿入する作業を挿入口１５を見ながら容易に行なうことができる。
【００３７】
また、袋状の収容部１４の長手方向両端部にそれぞれ取り付けた布片１６，１７同士の結び具合を変更することによりクラウン部１２の周縁部の頭部に対する締め付け度合を調節することが可能とされているため、風の強いときには布片１６，１７同士をきつく結ぶ、風の弱いときには布片１６，１７同士を緩やかに結ぶと云うように着用の態様を選択することができる。したがってクリップ体２１を装着したうえで、さらに布片１６，１７同士をきつく結ぶ構造によれば、帽子が風で飛ばされにくくなると云う作用効果を一層拡大することができる。
【００３８】
尚、上記実施例ではクリップ体２１を正面部２２及び左右の側面部２３を備える一体もの（一体成形品）としたが、クリップ体２１は複数の部品がクリップ体２１の長手方向にスライド可能に組み合わされることによりサイズの大小を調節可能とされるものであっても良く、以下この態様に係る実施例を説明する。
【００３９】
すなわち図５に示すように、クリップ体２１は、第１部品３１及び第２部品４１の組み合わせにより構成されている。第１部品３１は、円弧状の正面部３２を備え、この円弧状の正面部３２の長手方向一方の端部に側面部３３が一体成形され、正面部３２の長手方向他方の端部にブロック部３４が設けられている。またブロック体３４に貫通孔部３５が設けられ、この貫通孔部３５に第２部品４１がスライド可能に差し通されている。一方、第２部品４１は、上記第１部品３１の正面部３２の前面側に配置される円弧状の正面部４２を備え、この正面部４２の長手方向一方の端部に側面部４３が一体成形され、正面部４２の長手方向他方の端部にブロック部４４が設けられている。またブロック体４４に貫通孔部４５が設けられ、この貫通孔部４５に上記第１部品３１がスライド可能に差し通されている。
【００４０】
したがってこの構造によれば、第１部品３１及び第２部品４１がクリップ体２１の長手方向にスライド可能に組み合わされているため、両部品３１，４１を図上矢印方向にスライドさせ、ブロック体３４，４４間の間隔すなわち正面部３２，４２同士の重なり長さを変更しクリップ体２１の全長を変更することにより当該クリップ体２１のサイズの大小を調節することが可能とされている。したがって個々の着用者に応じて最適のサイズを選択することにより、極めて使い勝手の良いクリップ体２１とすることができる。
【００４１】
また、本考案の帽子に係る利用分野やその他の実施例などとしては、以下のことが考えられる。
（ａ）帽子を自転車搭乗時に着用するサイクルハットとして用いる。
（ｂ）帽子本体に撥水性生地を使用することによりレインハットとして用いる。
（ｃ）帽子本体に遮光芯を使用することにより遮光ハットとして用いる。
（ｄ）帽子本体にＵＶ加工を施すことによりＵＶハットとして用いる。
（ｅ）帽子本体にリバーシブル機能を持たせることによりリバーシブルハットとして用いる。
（ｆ）帽子本体にクーリング素材の機能生地を使用することによりクーリングハットとして用いる。
（ｇ）帽子本体に保冷ジェルを内蔵することによりクーリングハットとして用いる。
（ｈ）帽子本体に遠赤素材の機能生地を使用することにより、あったかハットとして用いる。
（ｉ）帽子本体に天然素材を使用することにより天然ハットとして用いる。
（ｊ）帽子本体に反射素材を使用することにより交通安全ハットとして用いる。
【００４２】
（ｋ）クラウン部分を着脱可能にすることによりクリップバイザーとしても用いる。
（ｌ）帽子本体に抗菌・防臭生地を使用することにより抗菌・防臭ハットとして用いる。
（ｍ）クリップ体に装飾を施すことによりクリップ体をカチューシャとしても用いる。
（ｎ）クリップ体の素材（弾性や太さも）を替え装飾を施すことによりクリップ体をカチューシャとしても用いる。
（ｏ）クリップ体に取り外し容易な紐などを付けることにより着脱の容易化を図る。
（ｐ）クリップ体は、上記図５の実施例のように伸縮可能にすることもできる。
（ｑ）クリップ体はクラウン表側（外面側）に装着するが、構造上裏側（内面側）から装着することもできる。
（ｒ）帽子は、婦人用、紳士用、子供用を含む。
（ｓ）サイクルハットとしての用途以外にも、上記のように、素材や型を変化させることで、様々な用途に用いる帽子とすることができる（スポーツ全般、山登り、ガーデニング、畑作業、海などのレジャー用など）。
【符号の説明】
【００４３】
１１  帽子本体
１２  クラウン部
１３  ツバ部
１４  収容部
１４ａ  下縁部
１４ｂ  上縁部
１４ｃ  長手方向端部
１４ｄ  内面
１５  挿入口
１６，１７  布片
２１  クリップ体
２２，３２，４２  正面部
２３，３３，４３  側面部
３１  第１部品
３４，４４  ブロック体
３５，４５  貫通孔部
４１  第２部品
【図１】
0003182453.tif 000003
【図２】
0003182453.tif 000004
【図３】
0003182453.tif 000005
【図４】
0003182453.tif 000006
【図５】
0003182453.tif 000007
【図６】
0003182453.tif 000008